(57)【要約】【課題】狭いスペースでもノズルとグリップとを併設可能とする。【解決手段】本体２の前方側に設けられるフロントグリップ１６は、凸部１８を連結アーム５の凹溝１７に嵌合させ、切欠き１９を貫通するネジ２０を連結アーム５にねじ込むことにより、連結アーム５と一体に連結される。また、フロントグリップ１６の上端にはグリップ部２１が形成されている。一方、フロントグリップ１６の下端には、鋸刃４の周縁際に開口する集塵口２３と、集塵口２３と連通する排出口２４とからなる筒状のノズル部２２が一体に形成されている。【選択図】  図１
2004195566.tif 000002
【特許請求の範囲】
【請求項１】
ベース上に載置した本体に、モータ駆動する円盤状の回転刃を備えた切断機であって、
前記本体の切断方向前方側で前記ベースまたは本体の何れかに、上端にグリップ部を、そのグリップ部の下側に、取付状態で前記回転刃の周縁際に開口する筒状のノズル部を夫々備えたフロントグリップを取り付けたことを特徴とする切断機。
【請求項２】
フロントグリップのノズル部の開口における回転刃の外側の縁部に、前記回転刃を横切る格好で突出する案内片を設けた請求項１に記載の切断機。
【発明の詳細な説明】
【０００１】
【発明の属する技術分野】
本発明は、マルノコやカッタ等、ベース上に載置した本体に、モータ駆動する円盤状の回転刃を備えた切断機に関する。
【０００２】
【従来の技術】
マルノコ等の切断機は、ベース上に載置した本体に、モータ駆動する円盤状の回転刃を備えてなり、被切断材上にベースを載せた状態で、本体の上側に設けたハンドル等を把持して切断方向へスライドさせることで、回転刃による被切断材の切断が可能となる。
また、このような切断機においては、切断時に発生する切断屑を効果的に集塵できるように、本体に筒状のノズルを設けて集塵機等のホースを接続可能としたものが知られている。例えば特許文献１では、切断方向前方において本体のブレードケースに集塵口を横向きに突設しており、特許文献２では、同じくブレードケースの切断方向前方において集塵口を縦向きに突設している。
一方、切断時の支持を容易として操作性を向上させるために、ハンドルとは別に、ベースにおける本体の前側に、上端を把持部としたグリップを立設させた切断機も知られている（例えば特許文献３参照）
【０００３】
【特許文献１】
実開昭５９−１８４６１１号公報
【特許文献２】
特開平１１−３３３６２３号公報
【特許文献３】
特開平６−１１４８０４号公報
【０００４】
【発明が解決しようとする課題】
このようにノズルとグリップとは、共に本体の切断方向前方に設けられるが、小型のマルノコやカッタ等のようにコンパクトな切断機であると、ノズルとグリップとの両方を設けるのはスペース的に無理があり、これらの併設のために本体やベースを大きくすると全体のコンパクト化を阻害してしまう。また、たとえ両方設けても、ノズルやホースがグリップ把持の邪魔になったり、逆にグリップがホース引き回しの邪魔になったりして、使い勝手を悪くさせる上、部品点数が増えることによるコストアップの問題もある。よって、結局何れか一方のみを選択して設けているのが現状であった。
【０００５】
そこで、請求項１に記載の発明は、狭いスペースでもノズルとグリップとを互いの使い勝手を損なうことなく簡単に併設できる切断機を提供することを目的としたものである。
【０００６】
【課題を解決するための手段】
上記目的を達成するために、請求項１に記載の発明は、本体の切断方向前方側でベースまたは本体の何れかに、上端にグリップ部を、そのグリップ部の下側に、取付状態で回転刃の周縁際に開口する筒状のノズル部を夫々備えたフロントグリップを取り付けたことを特徴とするものである。
請求項２に記載の発明は、請求項１の目的に加えて、ノズル部での集塵を良好に行うために、フロントグリップのノズル部の開口における回転刃の外側の縁部に、回転刃を横切る格好で突出する案内片を設けたものである。
【０００７】
【発明の実施の形態】
以下、本発明の実施の形態を図面に基づいて説明する。
図１は、切断機の一例であるマルノコの左側面図、図２は右側面図、図３は平面図で、マルノコ１は、本体２の後方（図１の左側（切断方向）を前方とする。以下同じ）に設けたモータ３の駆動で回転する円盤状の鋸刃（回転刃）４を備え、本体２から前方へ延設した連結アーム５の前端を、ベース６に立設された支持プレート７へ回転可能に軸着してなる。本体２の後端側でベース６上には、鋸刃４の上方を覆うブレードケース８の内面に沿ってガイドプレート９が立設されており、ブレードケース８の後端を、ガイドプレート９の任意の位置でツマミネジ１０によって固定することにより、ベース６の下方への鋸刃４の突出量（切込量）を調整可能となっている。また、本体２は、ピン１１，１２によって傾動可能に軸着されており、支持プレート７に設けたツマミネジ１３によって任意の傾動位置で固定することで、ベース６に対する鋸刃４の角度も調整可能となっている。１４は本体２の上方に形成されたハンドル、１５はモータ３を駆動させるスイッチレバーである。
【０００８】
そして、本体２の前方側にはフロントグリップ１６が設けられている。このフロントグリップ１６は、上下に長い合成樹脂の成形品で、左側面に、連結アーム５の右側面に凹設された凹溝１７に嵌合可能な凸部１８を突設すると共に、その後方位置に、倒Ｕ字状の切欠き１９を形成しており、凸部１８を連結アーム５の凹溝１７に嵌合させた状態で、切欠き１９を貫通するネジ２０を連結アーム５にねじ込むことにより、連結アーム５と一体に連結される。また、フロントグリップ１６の上端には、偏平なグリップ部２１が形成されている。
一方、フロントグリップ１６の下端には、筒状のノズル部２２が一体に形成されている。このノズル部２２は、左方向で鋸刃４の周縁際に開口する集塵口２３と、集塵口２３と連通し、右斜め後方でやや上向きに開口する排出口２４とからなる。また、集塵口２３における鋸刃４の外側の縁部には、鋸刃４を横切る格好で左側へ突出し、図１の左回転方向へ回転する鋸刃４とベース６との交差際（刃口）上方を覆う案内片２５が形成されている。
【０００９】
以上の如く構成されたマルノコ１においては、フロントグリップ１６を凸部１８とネジ２０とを利用して連結アーム５の所定位置へ取り付けると、グリップ部２１が本体２の前側上方の適正位置に、ノズル部２２が鋸刃４近傍の適正位置に夫々固定される。よって、切断の際、作業者は、ベース６を被切断材上に載置させて右手でハンドル１４を把持し、左手でグリップ部２１を把持してマルノコ１を支持しながら切断方向へスライドさせて、鋸刃４による切断を行うことができる。
この切断の際、ノズル部２２の排出口２４に集塵機等のホースを接続しておけば、被切断材から鋸刃４の接線方向に沿って上向きに発生した切断屑は、そのままノズル部２２の集塵口２３に直接吸い込まれるか、或いは案内片２５に当接した後集塵口２３に吸い込まれるかしてノズル部２２に捕捉され、ホースを通って集塵機で集塵される。
【００１０】
このように上記形態のマルノコ１によれば、上端にグリップ部２１を、下端にノズル部２２を夫々備えたフロントグリップ１６を採用したことで、狭いスペースでもグリップとノズルとを簡単に併設することができ、部品点数の少ない合理的な構成となる。しかも、グリップ部２１が上端、ノズル部２２が下端に夫々位置しているため、ノズル部２２に接続したホースがグリップ部２１の把持の邪魔になったり、逆にグリップ部２１がホースの引き回しの邪魔になったりすることがない。よって、操作性や作業性を損なうことがなく、マルノコ１の支持と集塵との両機能を好適に利用可能となる。
また、フロントグリップ１６のノズル部２２の集塵口２３における鋸刃４の外側の縁部に、鋸刃４を横切る格好で突出する案内片２５を設けたことで、案内片２５によって切断屑を効果的に集塵口２３へ導いて、ノズル部２２での集塵を良好に行うことができる。
【００１１】
なお、上記形態では、フロントグリップ１６を本体２側の連結アーム５に設けているが、ベース６上に設けても良い。ベース上に設けると、ベースに対するグリップ部の位置が一定となるため、切込量の変更にかかわらずグリップ部による操作性を維持できる。逆に、上記形態のように本体側に設けると、本体の傾動等にノズル部が追従でき、常に集塵口が鋸刃の周縁際で開口することで、集塵効果が低下しないという利点がある。
また、フロントグリップの取付構造は、上記形態の凸部とネジとによるのに限らず、複数のネジのみや、フックやバンド等の他の固定構造を採用することもできる。逆にこのような別体品に限らず、成形が可能であればブレードケース等の本体側のハウジングと一体成形しても差し支えない。
さらに、グリップ部とノズル部とは一体成形でなく、例えばグリップ部の下端に別体のノズル部をネジ等で取り付ける等、互いに別体の成形品を連結する構造も採用可能である。
【００１２】
その他、グリップ部とノズル部との具体的な形状も上記形態に限らず、例えばグリップ部を左右方向に延びるバー形状としたり、ノズル部の集塵口を鋸刃の周縁に沿った長円や円弧状としたり等の変更は可能である。勿論本発明は、マルノコ以外のカッタ等の他の切断機にも採用可能であるし、ＡＣ工具に限らず充電式の工具でも採用可能である。
【００１３】
【発明の効果】
請求項１に記載の発明によれば、前記グリップ部とノズル部とを備えたフロントグリップを採用したことで、狭いスペースでもグリップとノズルとを簡単に併設することができ、部品点数の少ない合理的な構成となる。しかも、グリップ部が上端、ノズル部がその下側に夫々位置しているため、ノズル部に接続したホースがグリップ部の把持の邪魔になったり、逆にグリップ部がホースの引き回しの邪魔になったりすることがない。よって、操作性や作業性を損なうことがなく、切断機の支持と集塵との両機能を好適に利用可能となる。
請求項２に記載の発明によれば、請求項１の効果に加えて、フロントグリップのノズル部の開口における回転刃の外側の縁部に、回転刃を横切る格好で突出する案内片を設けたことで、ノズル部での集塵を良好に行うことができる。
【図面の簡単な説明】
【図１】マルノコの左側面図である。
【図２】マルノコの右側面図である。
【図３】マルノコの平面図である。
【符号の説明】
１・・マルノコ、２・・本体、４・・鋸刃、５・・連結アーム、６・・ベース、１４・・ハンドル、１６・・フロントグリップ、１８・・凸部、２１・・グリップ部、２２・・ノズル部、２３・・集塵口、２４・・排出口、２５・・案内片。
【図１】
2004195566.tif 000003
【図２】
2004195566.tif 000004
【図３】
2004195566.tif 000005